(57)【要約】      （修正有）【課題】引っ掻き防止層を具えた抵抗式タッチパネルを提供する。【解決手段】引っ掻き防止層を具えた抵抗式タッチパネル１は、表示装置１０、第１透明基板２０、第２透明基板４０、接着層３０、及び引っ掻き防止層５０を包含し、該第１透明基板は該表示装置上に設置され、該接着層は該第１透明基板上に設置され、且つ該接着層はアウターエッジ３２を具え、該第２透明基板は該接着層上に設置され、該引っ掻き防止層の外縁５２は該アウターエッジに対応する該第２透明基板上に設置され、且つ該外縁は該アウターエッジの内側に位置し、これにより、内部構造が引っ掻かれることなく、タッチパネル辺縁のタッチ感度を高めることができ、使用の便利性を増し、これにより極めて良好な使用便利性と実用性を具備する。【選択図】図１
0003174469.tif 000002
【実用新案登録請求の範囲】
【請求項１】
引っ掻き防止層を具えた抵抗式タッチパネルにおいて、
表示装置と、
該表示装置上に置かれた第１透明基板と、
該第１透明基板上に置かれアウターエッジを具えた接着層と、
該接着層上に置かれ並びに該第１透明基板に対向する第２透明基板と、
外縁が該アウターエッジに対応する該第２透明基板上に置かれ、且つ該外縁が該アウターエッジの内側に位置する引っ掻き防止層と、
を包含したことを特徴とする、引っ掻き防止層を具えた抵抗式タッチパネル。
【請求項２】
請求項１記載の引っ掻き防止層を具えた抵抗式タッチパネルにおいて、該接着層がインナーエッジを具え、該インナーエッジが該アウターエッジの内側に設置されたことを特徴とする引っ掻き防止層を具えた抵抗式タッチパネル。
【請求項３】
請求項２記載の引っ掻き防止層を具えた抵抗式タッチパネルにおいて、該引っ掻き防止層の該外縁は該接着層の該インナーエッジにアラインされたことを特徴とする引っ掻き防止層を具えた抵抗式タッチパネル。
【請求項４】
請求項１記載の引っ掻き防止層を具えた抵抗式タッチパネルにおいて、該引っ掻き防止層の厚さが０．２ｍｍとされたことを特徴とする引っ掻き防止層を具えた抵抗式タッチパネル。
【請求項５】
請求項１記載の引っ掻き防止層を具えた抵抗式タッチパネルにおいて、該表示装置は薄膜トランジスタディスプレイとされたことを特徴とする引っ掻き防止層を具えた抵抗式タッチパネル。
【請求項６】
請求項１記載の引っ掻き防止層を具えた抵抗式タッチパネルにおいて、該第１透明基板は、
該表示装置上に設置されたガラス基板と、
該ガラス基板上に設置された第１回路層と、
該第１回路層上に設置された第１導電膜と、
を包含することを特徴とする、引っ掻き防止層を具えた抵抗式タッチパネル。
【請求項７】
請求項１記載の引っ掻き防止層を具えた抵抗式タッチパネルにおいて、該第２透明基板は、
該接着層上に設置された第２導電膜と、
該第２導電膜上に設置された第２回路層と、
該第２回路層上に設置された保護膜と、
を包含することを特徴とする、引っ掻き防止層を具えた抵抗式タッチパネル。
【請求項８】
請求項１記載の引っ掻き防止層を具えた抵抗式タッチパネルにおいて、コントローラーを更に包含し、該コントローラーは、該表示装置の一側に設置され、且つ該コントローラーは該第１透明基板と該第２透明基板に電気的に接続されたことを特徴とする引っ掻き防止層を具えた抵抗式タッチパネル。
【請求項９】
請求項１記載の引っ掻き防止層を具えた抵抗式タッチパネルにおいて、該第１透明基板と該第２透明基板の間に空間が設けられたことを特徴とする、引っ掻き防止層を具えた抵抗式タッチパネル。
【請求項１０】
請求項１記載の引っ掻き防止層を具えた抵抗式タッチパネルにおいて、該第２透明基板は更に複数のスペーサを具え、これらスペーサは該第２透明基板の上方に設置されたことを特徴とする、引っ掻き防止層を具えた抵抗式タッチパネル。
【考案の詳細な説明】
【技術分野】
【０００１】
本考案は一種のタッチパネルに係り、特に、引っ掻き防止層を具えた抵抗式タッチパネルに関する。
【背景技術】
【０００２】
時代の進歩に伴い、電子装置は使用上、ますます便利となり、人々の電子装置に対する依存もますます大きくなり、フラットパネルコンピュータ、ノートブック型コンピュータ、携帯電話、ＰＤＡ、ＡＴＭ、手書き入力装置、及びその他のディスプレイを有する電子装置の使用量は日々増加している。さらに、タッチパネルは操作が直感的である長所を有するため、広く各種のディスプレイを具えた電子製品に応用されている。モバイル通信機器及び消費性電子製品の数量が日増しに増加し、且つこれらの製品は多くがタッチパネルをその入力装置として使用するため、近年、多くの業者がタッチパネル関連の技術の発展に参与している。
【０００３】
タッチパネルは、広く液晶ディスプレイ、プラズマディスプレイ、電界放出ディスプレイ、ＥＬディスプレイ、或いはＣＲＴディスプレイ等の表面に配置されて広く応用されており、使用者はディスプレイ画面上で手指或いはタッチペン等で操作し、選択或いは入力等の機能を実行する。タッチパネルは動作方式の違いにより、抵抗式、静電容量式、音波式、光導波式、荷重変化式等に分けられるが、そのうち、抵抗式及び静電容量式のタッチパネルが最も広く運用されている。
【０００４】
周知の抵抗式タッチパネルは二枚の面状の透明導電膜を一定間隙を挟んで対向配置し、上方の透明導電膜はフレキシブルな透明薄膜の一表面に設置し、下方の透明導電膜は固い材質のガラス基板の一表面に設置し、さらに接着材料を利用し、この両者のエッジを密封して一体となし、これら二つの透明導電膜の中間に空間を形成し、このほか、下方の透明導電膜に間隔を空けてスペーサを設け、これらスペーサは絶縁スペーサ材料としてなる。上透明導電膜と下透明導電膜担体の間に一定の電圧を印加し、手指、タッチペン或いはその他の媒体がタッチパネルの表面に接触する時、すなわち、上透明導電膜に対して圧力が印加されて、上透明導電膜と下透明導電膜の電極が接触し、電圧の変化が発生し、さらに、コントローラによりデジタル信号に変換されてコンピュータが演算処理して位置座標を取得し、こうして接触点データを取得することができる。
【０００５】
以上をまとめると、抵抗式タッチパネルは使用上、非常に便利であるが、透明薄膜（ＰＥＴ薄膜）は非常に容易に異物によりひっかかれ易く、透明導電薄膜の間の線路が切断されて、タッチパネルの作動不能となることがある。ゆえに、周知の技術は、透明導電膜に１層のガラス引っ掻き防止層を加え、それは、透明薄膜を保護して透明薄膜の引っ掻き防止する。しかし、一般にガラス引っ掻き防止層は完全に該透明薄膜を被覆し、すなわち、透明薄膜上に接着され、すなわち、接着層の上方に圧着され、該ガラス引っ掻き防止層は透明薄膜を保護できるように、ＰＥＴ薄膜よりも厚く設けられ、且つガラス引っ掻き防止層の硬度は比較的高く、該ガラス引っ掻き防止層を設置する時に、ＰＥＴ薄膜面積が増すにつれ表面厚さも増加し得て、またガラス引っ掻き防止層が厚くなると、タッチパネル操作の時に、その感度が下がり、或いは比較的大きな力で操作しなければ、上透明導電膜を下透明導電膜に接触させられず、長期の使用の後には、損壊を形成しやすい。
【０００６】
特許文献１には、引っ掻き防止層を具えたタッチパネルが記載され、それは、下導電層、上導電層、上導電層と下導電層に挟まれたスペーサ層、及び該下導電層と該上導電層の側辺に接続されたフレクシブル回路板を包含し、該上導電層の上表面にガラス層が設けられ、該ガラス層の硬度は一般のタッチパネル表面のプラスチック保護層より高いことにより、該タッチパネルの引っ掻き防止能力がアップされている。しかし、このような構造は、周辺部分が鈍感となり得て、力を加える時に反応がない問題さえ有し得る。
【０００７】
このため、いかに、周知の技術のこのような欠点を突破、解決し、それにより、その便利性、実用性、及び経済的効果をアップするかが、業界の現在の解決、克服に向けて努力する重点となっている。
【０００８】
これにより、本考案者は、周知の抵抗式タッチパネルの問題と欠点及びその構造設計上いまだ理想的でない事実を鑑み、その解決策を求めて研究開発を行ない、便利性、実用性と高い経済効果を有する引っ掻き防止層を具えた抵抗式タッチパネルを開発した。
【先行技術文献】
【特許文献】
【０００９】
【特許文献１】台湾特許公告第Ｍ３４４５２１号明細書
【考案の概要】
【考案が解決しようとする課題】
【００１０】
本考案の目的は、一種の引っ掻き防止層を具えた抵抗式タッチパネルを提供することにあり、それは、タッチパネルのタッチ感度を高めたものとする。
【００１１】
本考案の次の目的は、一種の引っ掻き防止層を具えた抵抗式タッチパネルを提供することにあり、それは、パネルの引っ掻きを防止でき、タッチパネルの耐用年数を延長したものとする。
【００１２】
本考案の別の目的は、一種の引っ掻き防止層を具えた抵抗式タッチパネルを提供することにあり、それは、使用者のタッチコントロール時の印加力量を減らし、操作の便利性を増加したものとする。
【課題を解決するための手段】
【００１３】
本考案の引っ掻き防止層を具えた抵抗式タッチパネルは、表示装置、第１透明基板、第２透明基板、接着層、及び引っ掻き防止層を包含し、該第１透明基板は該表示装置上に設置され、該接着層は該第１透明基板上に設置され、且つ該接着層はアウターエッジを具え、該第２透明基板は該接着層上に設置され、該引っ掻き防止層の外縁は該アウターエッジに対応する該第２透明基板上に設置され、且つ該外縁は該アウターエッジの内側に位置する。
【考案の効果】
【００１４】
本考案は、一種の引っ掻き防止層を具えた抵抗式タッチパネルを提供し、それは、タッチパネルのタッチ感度が高められている。
【００１５】
本考案は、一種の引っ掻き防止層を具えた抵抗式タッチパネルを提供し、それは、パネルの引っ掻きを防止でき、タッチパネルの耐用年数を延長できる。
【００１６】
本考案は、一種の引っ掻き防止層を具えた抵抗式タッチパネルを提供し、使用者のタッチコントロール時の力量を減らし、操作性を改善する。
【図面の簡単な説明】
【００１７】
【図１】本考案の好ましい実施例の断面図である。
【図２】本考案の好ましい実施例の立体分解図である。
【図３】本考案の好ましい実施例の動作表示図である。
【図４】本考案の別の好ましい実施例の部分断面図である。
【図５】本考案の別の好ましい実施例の部分断面図である。
【考案を実施するための形態】
【００１８】
本考案の技術内容、構造特徴、達成する目的を詳細に説明するため、以下に実施例を挙げ並びに図面を組み合わせて説明する。
【００１９】
従来技術のタッチパネルは、ガラス引っ掻き防止層が完全に接着層上を被覆するため、ガラス引っ掻き防止層の辺縁が押圧しにくく、ゆえにその辺縁部分が押圧に対して鈍感となり、操作により大きな力を必要とし、また、辺縁材料の損壊を防止し、辺縁材料の損壊を形成し得る。ゆえに、本考案はこれらの欠点に対して、このタッチパネルを設計して、高い操作性と高い便利性の目標を達成する。
【００２０】
図１及び図２を参照されたい。それは本考案の引っ掻き防止層を具えた抵抗式タッチパネルの好ましい実施例の断面図及び立体分解図である。図示されるように、本考案のタッチパネル１は、表示装置１０、第１透明基板２０、接着層３０、第２透明基板４０及び引っ掻き防止層５０を包含し、且つ接着層３０はアウターエッジ３２を有する。
【００２１】
上述の該タッチパネル１は、まず、該表示装置１０上に該第１透明基板２０を設置し、さらに該第１透明基板２０の上表面の辺縁に該接着層３０を設置し、本実施例では、該接着層３０は矩形とされているが、その他の形状とされてもよく、該接着層３０はアウターエッジ３２を有する。さらに、該第２透明基板４０を該接着層３０の上に設置し、並びに該第１透明基板２０に対向させ、こうして、該第２透明基板４０の辺縁が該第１透明基板２０の辺縁に接続され、且つ該接着層３０が一定の厚さを有することから、該第１透明基板２０と該第２透明基板４０の間に一定の空間が設けられる。最後に、該引っ掻き防止層５０の外縁５２が該アウターエッジ３２に対応する該第２透明基板４０上に設置され、且つ該外縁５２は該アウターエッジ３２の内側に位置し、該引っ掻き防止層５０は該第２透明基板４０を保護して、該第２透明基板４０が引っ掻かれる或いは破壊されるのを防止し、そのうち、該引っ掻き防止層５０は硬質プラスチック層、引っ掻き防止ガラス層或いはその他の硬質塗層とされ得る。
【００２２】
図１と図３を併せて参照されたい。図３は、上述の実施例の動作表示図である。本実施例では該第１透明基板２０と該第２透明基板４０の間に一定の電圧が印加され、外力Ｆ（たとえば、指、タッチペン或いはその他の媒体）を使用して該引っ掻き防止層５０を押圧することで、該引っ掻き防止層５０と該第２透明基板４０が凹み、該第２透明基板４０が該第１透明基板２０に接触する時、該押圧位置に電圧の変化が発生し、これにより位置座標を取得でき、接触点のデータを得て、クリック、入力或いはその他の機能を完成する。該接着層３０はさらにインナーエッジ３４を有し、該インナーエッジ３４は該アウターエッジ３２の内側に設置される。一般には、該インナーエッジ３４内部の領域は可視領域とされる。本実施例の主要な特徴は、該引っ掻き防止層５０の該外縁５２は該アウターエッジ３２の内側に対応する位置とされる。このほか、該引っ掻き防止層５０の該外縁５２は該引っ掻き防止層５０の該外縁５２は該接着層３０の該インナーエッジ３４にアラインするのがよく（図３のとおり）、すなわち、該外縁５２は該接着層３０の該インナーエッジ３４に接近するほど効果が良好であり、これにより該接着層３０付近の応力が減り、これにより該引っ掻き防止層５０の辺縁が下向きに押圧しにくいという状況が回避され、タッチコントロール領域辺縁の押圧感度を良好とでき、操作にさらに多くの力を費やす必要をなくし、ゆえに辺縁材料の損壊を防止し、該タッチパネル１の耐用期間を延長する。
【００２３】
周知の技術によると、一般のタッチパネル上の透明薄膜（ＰＥＴ薄膜）は非常に容易に異物により引っ掻かれやすく、透明導電薄膜の間に線路切断を形成し、ゆえに、タッチパネル（又は透明薄膜）上方にガラス引っ掻き防止層を加え、ガラス引っ掻き防止層と該透明導電薄膜の寸法は同じで、接着層の上方に圧着され、ゆえに、辺縁部分の下圧の応力が大きくなりすぎ、辺縁の押圧感度が悪くなるという問題が発生する。本実施例では、引っ掻き防止層５０がこの問題を解決し、タッチコントロール感度を高め、使用者の操作に便利とし、且つタッチコントロールに必要な力を減らし、使用者の負担を減らし、これにより操作性を増している。このほか、該引っ掻き防止層５０の材料消耗を減らし、生産コストを減らす。
【００２４】
図４を参照されたい。図４は本考案の引っ掻き防止層を具えた抵抗式タッチパネルの別の実施例の部分断面図である。図示されるように、それは、上述の実施例の構造を基礎とし変化を加えたものである。該第１透明基板２０はガラス基板２２、第１回路層２４及び第１導電膜２６を包含し、該第２透明基板４０は第２導電膜４２、第２回路層４４及び保護膜４６を包含し、このほか、該表示装置１０の一側にコントローラー６０が設けられている。
【００２５】
上述のガラス基板２２は該表示装置１０上に設置され、そのうち、該表示装置１０は薄膜トランジスタディスプレイとされ、該第１回路層２４は該ガラス基板２２上に設置され、さらに該第１導電膜２６が該第１回路層２４上に設置される。このとき、該接着層３０は該第１導電膜２６の辺縁に設置され、さらに該第２導電膜４２が該接着層３０上に設置され、第２回路層４４は該第２導電膜４２上に設置され、該保護膜４６が該第２回路層４４上に設置される。そのうち、該保護膜４６はＰＥＴ薄膜とされ得て、それは内部の構造を保護する。最後に、該引っ掻き防止層５０が該保護膜４６上に設置され、該引っ掻き防止層５０の厚さは０．２ｍｍとされ得る。該コントローラー６０は該第１透明基板２０の該第１回路層２４と該第２透明基板４０の該第２回路層４４に電気的に接続される。
【００２６】
本実施例は、該第１導電膜２６と該第２導電膜４２の間に一定の電圧が印加され、外力で該引っ掻き防止層５０を押圧すると、該引っ掻き防止層５０と該第２透明基板４０が凹み、該第１導電膜２６が該第２導電膜４２に接触する時、押圧位置に電圧の変化が発生し、該第１回路層２４と該第２回路層４４がこの情報を該コントローラー６０に伝送し、該コントローラー６０が位置と座標を判断し、こうしてクリック選択、入力或いはその他の機能を完成できる。
【００２７】
図５を参照されたい。図５は本考案の引っ掻き防止層を具えた抵抗式タッチパネルの別の実施例の部分断面図である。図示されるように、それは上述の実施例の構造を基礎として変化を加えたものであり、該第１透明基板２０と該第２透明基板４０は該接着層３０を介して接合され並びに支持され、これにより、該第１透明基板２０と該第２透明基板４０の間に空間３６が形成される。このほかさらに複数のスペーサ３８を包含し、それは該第１透明基板２０の該第１導電膜２６の上方に設置され、並びに該空間３６に収容される。これらスペーサ３８は整然と配列された透明な点状スペーサとされ得る。該タッチパネルをタッチコントロールする時、これらスペーサ３８により、比較的正確な位置が得られ、すなわち、これらスペーサ３８によりタッチ時に近傍のタッチポイントでない該第１導電膜２６と該第２導電膜４２を接触させず、ゆえに、比較的正確な座標を得られ、読み取り位置をさらに正確とすることができる。
【００２８】
本考案の引っ掻き防止層を具えた抵抗式タッチパネルは、前述の構成により、引っ掻き防止層５０が使用者がタッチパネルを操作する時、手指或いはタッチペンのいずれで操作しても、接触を頻繁に行う状況でも、内層の構造を保護することができる。さらに、引っ掻き防止層５０の特殊設計により、タッチパネル辺縁のタッチ感度を増し、使用の便利性を増す。
【００２９】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００３０】
１  タッチパネル
１０  表示装置
２０  第１透明基板
２２  ガラス基板
２４  第１回路層
２６  第１導電膜
３０  接着層
３２  アウターエッジ
３４  インナーエッジ
３６  空間
３８  スペーサ
４０  第２透明基板
４２  第２導電膜
４４  第２回路層
４６  保護膜
５０  引っ掻き防止層
５２  外縁
６０  コントローラー
Ｆ  外力
【図１】
0003174469.tif 000003
【図２】
0003174469.tif 000004
【図３】
0003174469.tif 000005
【図４】
0003174469.tif 000006
【図５】
0003174469.tif 000007